(57)【特許請求の範囲】
【請求項１】
被梱包物を梱包した状態で隣接する画像板と任意の角を成す関係にある複数の画像板であって、同一平面に展開することでそれぞれの少なくとも一方の面に付された部分画像が一連の全体画像を形成する複数の画像板と、
前記画像板に連接され、前記複数の画像板を起立した状態に保持するスタンドを形成する複数の支持板と、
を備え、
前記複数の画像板のうち端部の画像板は、該画像板の延設方向の切り込みを有し、
前記画像板の接合部分に形成された折り目に、前記切り込みで切断することにより形成される前記端部の画像板の一部を重畳することを特徴とする梱包箱。
【請求項２】
前記画像板に延設され、被梱包物を梱包した状態で内包される補助板をさらに備え、
前記補助板の少なくとも一方の面には部分画像が付され、該補助板は、前記複数の画像板のうちのいずれか１または複数の画像板と同一平面に展開することで、該補助板に付された部分画像と、前記複数の画像板のうちのいずれか１または複数の画像板に付された部分画像が一連の全体画像を形成することを特徴とする請求項１に記載の梱包箱。
【請求項３】
前記補助板は、前記画像板の延設方向の切り込みを有し、
前記画像板の接合部分に形成された折り目に、前記切り込みで切断することにより形成される前記補助板の一部を重畳することを特徴とする請求項２に記載の梱包箱。
【請求項４】
前記端部の画像板の一部または前記補助板の一部は、前記画像板の接合部分の折り目以外に折り目を形成して重畳することを特徴とする請求項２または３に記載の梱包箱。
【請求項５】
前記画像板の前記部分画像が付される面は、被梱包物を梱包した状態で前記梱包箱の内部に位置することを特徴とする請求項１から４のいずれか１項に記載の梱包箱。
【請求項６】
前記支持板同士が嵌合され、前記スタンドが筒形状に形成されることを特徴とする請求項１から５のいずれか１項に記載の梱包箱。
【請求項７】
ダンボールまたは厚紙で形成されることを特徴とする請求項１から６のいずれか１項に記載の梱包箱。
【発明の詳細な説明】
【技術分野】
【０００１】
本発明は、ＰＯＰ広告のための広告表示体としても機能する梱包箱に関する。
【背景技術】
【０００２】
近年、広告を表示したパネル、看板等のＰＯＰ（Point Of Purchase）広告表示体を、店頭、商品の陳列棚近辺、キャンペーン会場等に配置し、商品を購入する顧客の購買意欲を向上させる広告形態が採用されている。このような広告表示体は、商品の供給元や、供給元の依頼を受けた委託業者（以下、単に供給元等と称する）から各店舗やキャンペーン会場（以下、単に店舗等と称する）に配送され、使用後は各店舗等から供給元等へ返送される場合もある。従来、広告表示体を配送したり返送したりする際（運搬する際）には、広告の表示面を保護すべく、広告表示体をダンボール等の梱包材で梱包していた。
【０００３】
しかし、近年の環境保護やコスト低減の観点から、梱包材の削減が要求されている。そこで、広告を表示する表示板と、この表示板を背面から支持する背面支持板とが着脱可能に形成されており、背面支持板が表示板を収納する収納ケースとなる広告表示体が提案されている（例えば、特許文献１）。
【０００４】
また、略正方形の底面部、横長略長方形の前後左右の各側面部、および前後左右の各蓋部を有する収納ケースであって、箱として機能する場合、内部に収納空間を有する箱状体が形成され、広告表示体として機能する場合、箱の底面部や側面部の中央部分が、広告を表示するための表示面として利用され、底面部や側面部の中央部分以外の両サイドが折り返して支持体となる技術が提案されている（例えば、特許文献２）。
【先行技術文献】
【特許文献】
【０００５】
【特許文献１】特開２００６−３３７９６８号公報
【特許文献２】実用新案登録第３１２６８９５号
【発明の概要】
【発明が解決しようとする課題】
【０００６】
しかし、特許文献１の技術では、表示板と収納ケース（支持板）が別体で形成されているため、ユーザが誤って収納ケースを廃棄してしまった場合には、運搬用に別途梱包材が必要になるだけでなく、広告表示体として表示板を組立てることすらできなくなってしまう。
【０００７】
また、特許文献２の技術では、底面部や側面部の一部（中央部分）のみが広告表示面となるため、運搬する箱の大きさの割には、顧客が最も注視する表示面の面積が小さくなってしまう。したがって、特許文献２の広告表示体をＰＯＰ広告として利用したとしても、顧客が視認する広告が小さくなってしまい、十分な宣伝効果が得られない。
【０００８】
そこで、本発明は、このような課題に鑑み、梱包箱としての機能を損なうことなく、梱包箱の表面を最大限有効利用して宣伝効果の高い広告表示体を形成することが可能な梱包箱を提供することを目的としている。
【課題を解決するための手段】
【０００９】
上記課題を解決するために、本発明の梱包箱は、被梱包物を梱包した状態で隣接する画像板と任意の角を成す関係にある複数の画像板であって、同一平面に展開することでそれぞれの少なくとも一方の面に付された部分画像が一連の全体画像を形成する複数の画像板と、画像板に連接され、複数の画像板を起立した状態に保持するスタンドを形成する複数の支持板とを備え、複数の画像板のうち端部の画像板は、画像板の延設方向の切り込みを有し、画像板の接合部分に形成された折り目に、切り込みで切断することにより形成される端部の画像板の一部を重畳することを特徴とする。
【００１０】
かかる構成により、梱包状態では任意の角（例えば９０°（直角）や１８０°（折り畳み状態））を成していた画像板の面を、広告状態に再構築する際、同一平面に展開して利用することで、全体画像の面積を最大限に確保し、宣伝効果の高い広告表示体を形成することができる。また、梱包箱の画像板以外の面（支持板）もスタンドとして有効利用することで、余剰部材をなくし、上記宣伝効果の高い広告表示体を起立した状態に保持することが可能となる。また、端部の画像板を切り込みで切断することによって形成される画像板の一部を、画像板の折り目に重畳（折畳）する構成により、折り目といった起立させようとすると自重で折れ曲がってしまう箇所を、同一の梱包箱における画像板の一部で容易に補強することができ、複数の画像板を確実に起立させることが可能となる。
【００１１】
上記梱包箱の画像板に延設され、被梱包物を梱包した状態で内包される補助板をさらに備え、補助板の少なくとも一方の面には部分画像が付され、補助板は、複数の画像板のうちのいずれか１または複数の画像板と同一平面に展開することで、補助板に付された部分画像と、複数の画像板のうちのいずれか１または複数の画像板に付された部分画像が一連の全体画像を形成してもよい。
【００１２】
外筐とならず、広告を示す機能に特化した補助板を備える構成により、梱包材としての機能を考慮することを要さず、広告（表示）としての機能を最大限に発揮させるための、さまざまな加工を補助板に施すことが可能となる。
【００１３】
上記梱包箱の補助板は、画像板の延設方向の切り込みを有し、画像板の接合部分に形成された折り目に、切り込みで切断することにより形成される補助板の一部を重畳してもよい。
【００１４】
このように、補助板を切り込みで切断することによって形成される補助板の一部を、画像板の折り目に重畳（折畳）する構成により、折り目といった起立させようとすると自重で折れ曲がってしまう箇所を、同一の梱包箱における補助板の一部で容易に補強することができ、補助板を確実に起立させることが可能となる。
【００１５】
上記梱包箱の端部の画像板の一部または補助板の一部は、画像板の接合部分の折り目以外に折り目を形成して重畳してもよい。
【００１６】
かかる構成により、端部の画像板または補助板の接合部分によって画像板が起立できない事態を回避でき、端部の画像板または補助板を含んで複数の画像板を起立させることが可能となる。
【００１７】
上記梱包箱の画像板の部分画像が付される面は、被梱包物を梱包した状態で梱包箱の内部に位置してもよい。
【００１８】
被梱包物を梱包した状態において部分画像が付される面が、梱包箱の内部に形成されることで、梱包箱を運搬する際に部分画像を保護することができる。また運搬する際に、被梱包物を梱包した状態では、全体画像の内容を梱包箱の外から把握することができないので、秘匿性を維持することが可能となる。さらに、運搬する際に、梱包箱の外面には部分画像が付されていないため、その外面に宛先を記したり、宛先が記された送付状を貼付したりといったように有効利用することができ、梱包箱を別途包装することなく、現物のまま発送することが可能となる。
【００１９】
支持板同士が嵌合され、スタンドが筒形状に形成されてもよい。支持板同士を嵌合するといった簡単な構成により、接着材、接着テープ、粘着テープ、ステープラ等の特別な固定手段を必要とせず、確実かつ容易に、複数の画像板または補助板を起立した状態に保持することができる。
【００２０】
上記梱包箱は、ダンボールまたは厚紙で形成されてもよい。ダンボールまたは厚紙は、低コストで、容易に加工でき、再利用も可能である。
【発明の効果】
【００２１】
本発明によれば、梱包箱としての機能を損なうことなく、梱包箱の表面を最大限有効利用して宣伝効果の高い広告表示体を形成することが可能となる。
【図面の簡単な説明】
【００２２】
【図１】第１の実施形態にかかる梱包箱の展開図である。
【図２】第１の実施形態にかかる、展開した梱包箱の斜視図である。
【図３】第１の実施形態にかかる梱包箱の梱包状態を説明するための説明図である。
【図４】第１の実施形態にかかる梱包箱を展開し、広告表示体として再構築した状態を説明するための説明図である。
【図５】切り込みの他の例を説明するための説明図である。
【図６】第２の実施形態にかかる梱包箱の展開図である。
【図７】第２の実施形態にかかる、展開した梱包箱の斜視図である。
【図８】第２の実施形態にかかる梱包箱の梱包状態を説明するための説明図である。
【図９】第２の実施形態にかかる梱包箱を展開し、広告表示体として再構築した状態を説明するための説明図である。
【図１０】第２の実施形態にかかる梱包箱の他の例を説明するための展開図である。
【発明を実施するための形態】
【００２３】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
（第１の実施形態）
近年、ＰＯＰ広告のための広告表示体を、店頭、商品の陳列棚近辺、キャンペーン会場等に配置し、商品を購入する顧客の購買意欲を向上させる広告形態が採用されている。広告表示体は、商品の供給元等と店舗等の間で運搬される。従来、広告表示体を運搬する際には、広告の表示面を保護すべく、広告表示体をダンボール等の梱包箱で梱包していたが、近年の環境保護やコスト低減の観点から梱包箱等の梱包材の削減が要求されている。特に等身大の広告表示体といった大きなものについては、広告表示体自体を折り畳むのにも限界があるため、削減要求に反して梱包箱も大きくせざるを得なかった。
【００２５】
ところで、広告表示体を用いてＰＯＰ広告を行う場合には、広告表示体の他に、ポスターやチラシ（フライヤー、ビラ）、販促品等（以下、単にポスター等）を使用して広告活動を行うことが多い。この場合、広告表示体とは別に、ポスター等を内包した梱包箱を配送することになり、広告表示体とは別に、ポスター等を梱包した梱包箱を準備しなければならなかった。
【００２６】
そこで、本実施形態では、梱包箱としての機能を損なうことなく、梱包箱を変形して広告表示体としても機能させると共に、梱包箱の表面を最大限有効利用して宣伝効果の高い広告表示体を形成することが可能な梱包箱１００を提供することを目的とする。
【００２７】
（梱包箱１００）
図１は、第１の実施形態にかかる梱包箱１００の展開図であり、図２は、展開した梱包箱１００の斜視図である。なお、図１は、後述する切り込み１１２で画像板１０２を切断する前の状態を示し、図２は、切り込み１１２で画像板１０２を切断した後の状態を示す。
【００２８】
図１および図２に示すように、梱包箱１００は、６つの板（面）、具体的に、２以上（ここでは３つ）の画像板１０２（図中、１０２ａ、１０２ｂ、１０２ｃで示す）と、画像板１０２ｃに延設された側板１０４と、画像板１０２ｃの両端に連接された支持板１０６（図中、１０６ａ、１０６ｂで示す）とを含んで構成される。例えば、梱包箱１００の６つの板の厚みはそれぞれ概ね３ｍｍ〜５ｍｍである。また、画像板１０２ａ、１０２ｃは３１．５ｃｍ×４１ｃｍ、画像板１０２ｂおよび側板１０４は３１．５ｃｍ×２０ｃｍ、支持板１０６ａ、１０６ｂは２０ｃｍ×４１ｃｍ、支持板１０６ａの嵌合部１０８ａは２ｃｍ×９ｃｍ、支持板１０６ｂの嵌合穴１０８ｂは３ｍｍ〜５ｍｍ（嵌合部１０８ａの厚み）×９ｃｍである。
【００２９】
以下、梱包箱１００が、被梱包物を梱包した状態すなわち梱包材として機能する状態（単に梱包状態と称する）と、広告表示体として機能する状態（以下、単に広告状態と称する）とを説明する。
【００３０】
（梱包状態）
図３は、梱包箱１００の梱包状態を説明するための説明図である。図３に示すように、３つの画像板１０２は、梱包状態で、隣接する画像板１０２と任意の角を成す関係にある。例えば、図３（ｂ）に示す例では、画像板１０２ｂは、梱包状態において、隣接する画像板１０２ａと略９０°を成す関係にあり、隣接する画像板１０２ｃとも略９０°を成す関係にある。
【００３１】
また、図３に示すように梱包状態において、梱包箱１００は、例えば、画像板１０２ｃを底面とした場合、画像板１０２ａが上面となり、画像板１０２ｂ、側板１０４、支持板１０６ａ、１０６ｂが側面となる。換言すれば、梱包状態において、梱包箱１００は、蓋として機能する画像板１０２ａと、画像板１０２ｂと、１０２ｃと、側板１０４と、支持板１０６ａ、１０６ｂとで箱形状の外筐を構成する。したがって、図３（ａ）に示すように、画像板１０２ａ以外を組み立てて、内部にポスター等を収納し、図３（ｂ）に示すように、蓋として機能する画像板１０２ａで閉じることにより、梱包箱１００にポスター等を収納した状態で運搬することができる。
【００３２】
（広告状態）
図４は、梱包箱１００を図２の如く展開し、広告表示体として再構築した状態を説明するための説明図であり、図４（ａ）は、全体画像１２２を付した面を正面とした場合の正面図を、図４（ｂ）は、梱包箱１００（広告表示体）を背面から見た場合の斜視図をそれぞれ示す。
【００３３】
梱包箱１００を、図３に示す梱包状態から図２のような展開状態を経由し、図４（ａ）に示すように、広告状態に再構築した場合、画像板１０２ａ、１０２ｂ、１０２ｃは、同一平面に展開され、それぞれの少なくとも一方の面１１０（図４（ａ）中、１１０ａ、１１０ｂ、１１０ｃで示す）に付された部分画像１２０（図４（ａ）中、１２０ａ、１２０ｂ、１２０ｃで示す）が一連の全体画像１２２を形成する。ここで、部分画像１２０を面１１０に付すとは、面１１０に部分画像１２０が直接印刷または塗布されたり、部分画像１２０が描かれたシートが面１１０に貼付されたりすることを言う。
【００３４】
このように、梱包状態では任意の角（例えば９０°）を成していた画像板１０２の面１１０を、広告状態に再構築する際、同一平面に展開して利用することで、全体画像１２２の面積を最大限に確保し、宣伝効果の高い広告表示体を形成することができる。
【００３５】
また、画像板１０２の部分画像１２０が形成される面１１０は、梱包状態で梱包箱１００の内部（内側）に位置する。このように、梱包状態において部分画像１２０が付される面１１０が、梱包箱１００の内部に形成されることで、梱包箱１００を運搬する際に部分画像１２０を保護することができる。また運搬する際に、梱包状態では、全体画像１２２の内容を梱包箱１００の外から把握することができないので、店頭に広告表示体として設置したときに初めて公表したい広告等の秘匿性を維持することが可能となる。さらに、運搬する際に、梱包箱１００の外面には部分画像が付されていないため、その外面に宛先を記したり、宛先が記された送付状を貼付したりといったように有効利用することができ、梱包箱１００を別途包装することなく、現物のまま発送することが可能となる。
【００３６】
図４（ｂ）に示すように、支持板１０６は、画像板１０２ａ、１０２ｂ、１０２ｃを起立した状態に保持するスタンドを形成する。本実施形態においては、支持板１０６ａは、嵌合部１０８ａを備え、支持板１０６ｂは、嵌合穴１０８ｂを備え、嵌合部１０８ａを嵌合穴１０８ｂに嵌合することで、支持板１０６同士（１０６ａと１０６ｂ）が連接される。こうして、支持板１０６ａ、支持板１０６ｂ、および、画像板１０２ｃが、水平断面が三角形となる筒形状を形成し、それがスタンドとなる。
【００３７】
なお、ここでは、支持板１０６でスタンドを形成する場合、嵌合部１０８ａと嵌合孔１０８ｂとが嵌合する構成を例に挙げて説明したが、これに限定されず、支持板１０６がスタンドを形成できれば足り、支持板１０６を単に背面に折り込むことでスタンドを形成してもよいし、支持板１０６同士を接着テープ等で固定してスタンドを形成してもよい。
【００３８】
このように、梱包状態では外筐を構成するが、広告状態では、全体画像１２２を形成しない、ある意味、余剰部材である支持板１０６を有効利用してスタンドを形成することで、梱包箱１００以外の部材を別途用意することなく、画像板１０２ａ、１０２ｂ、１０２ｃを起立状態で確実に保持することが可能となる。
【００３９】
また、本実施形態において、支持板１０６は、支持板１０６同士（１０６ａと１０６ｂ）を嵌合することで複数の画像板（１０２ａ、１０２ｂ、１０２ｃ）を起立した状態に保持するスタンドを形成する。これにより、接着材、接着テープ、粘着テープ、ステープラ等の特別な固定手段を必要とせず、確実かつ容易に、複数の画像板１０２を起立した状態に保持することができる。
【００４０】
本実施形態において、複数の画像板１０２のうち、端部の画像板１０２ａは、画像板１０２の延設方向（図４における縦方向）の切り込み１１２を有している。図３に示す梱包状態において画像板１０２ａは、切り込み１１２でまだ切断されておらず、梱包状態から図４（ｂ）に示す広告表示体を形成する際にはじめて、画像板１０２ａを切り込み１１２で切断する。
【００４１】
図４（ｂ）に矢印で示すように、広告状態において、画像板１０２ａと画像板１０２ｂとの接合部分に形成された折り目１３０ａ、および画像板１０２ｂと画像板１０２ｃの接合部分に形成された折り目１３０ｂに、切り込み１１２で切断することにより形成される、画像板１０２ａの一部１４０を折畳する。ここでは、部分画像１２０が付された面を正面とした場合の背面側に、画像板１０２ａの一部１４０が折り込まれている。
【００４２】
このように、端部の画像板１０２ａを切り込み１１２で切断することによって形成される画像板１０２ａの一部１４０を、部分画像１２０が付される画像板１０２の折り目１３０に折畳する構成により、折り目１３０といった起立させようとすると自重で折れ曲がってしまう箇所を、同一の梱包箱１００における画像板１０２ａの一部１４０で容易に補強することができ、複数の画像板１０２ａ、１０２ｂ、１０２ｃを確実に起立させることが可能となる。
【００４３】
図５は、切り込み１１２の他の例を説明するための説明図である。図４において、切り込み１１２は、画像板１０２の長手方向に直線的に延伸した形状であるが、これに限定されず、図５（ａ）から（ｃ）に示すように、切り込み１１２で切断したことにより形成される画像板１０２ａの一部１４０を折り返すと、折り目１３０ａ、１３０ｂに折畳することができる切り込み１１２であれば足りる。
【００４４】
切り込み１１２は、ミシンの目のように、線上に、貫通した箇所と、貫通させない箇所を交互に配置した所謂ミシン目加工を施すことによって形成されてもよいし、画像板１０２ａを切断しない程度に、画像板１０２ａの厚み方向に切れ目を施すことによって形成されてもよい。また、画像板１０２ａに印刷等して、単なる線として切り込み１１２を付しておき、梱包箱１００を広告表示体として形成する際に、はさみやカッター等の切断具で、切り込み１１２を切断してもよい。
【００４５】
また、図４（ａ）に示すように、端部の画像板１０２ａの一部１４０は、画像板１０２ａと画像板１０２ｂとの接続部分に形成された折り目１３０以外の部分、例えば、画像板１０２ａ内に折り目１３２を形成し、画像板１０２ａの一部１４０の折り目が形成されていない部分を、折り目１３０に折畳する。すなわち、端部の画像板１０２ａには、切り込み１１２の終端１１２ａが、折り目１３０ａに到達しないように切り込み１１２が形成される。かかる構成により、端部の画像板１０２ａの一部１４０のみで、２つの折り目１３０ａ、１３０ｂを一度に補強することができる。
【００４６】
また、本実施形態において、梱包箱１００は、ダンボールまたは厚紙で形成されている。ダンボールまたは厚紙は安価かつ加工が容易なので製造コストを低減でき、さらに、広告表示体を形成する際にも容易に追加加工ができ、再利用も可能である。なお、ここでは、梱包箱１００をダンボールまたは厚紙で形成しているが、梱包箱１００を板紙、合成紙、プラスチック（ポリスチレン、ポリエチレンテレフタレート、アクリル樹脂等）等で形成することもできる。
【００４７】
以上説明したように、本実施形態にかかる梱包箱１００によれば、梱包箱としての機能と、広告表示体としての機能とを有し、広告表示体として機能させる場合に表示面を最大限に確保しつつ、梱包箱として機能させる場合にはポスター等を内包することが可能となる。
【００４８】
（第２の実施形態：梱包箱２００）
図６は、第２の実施形態にかかる梱包箱２００の展開図であり、図７は、展開した梱包箱２００の斜視図である。なお、図６は、後述する切り込み２１２で、補助板２０２ａを切断する前の状態を示し、図７は、切り込み２１２で補助板２０２ａを切断した後の状態を示す。本実施形態においても、梱包箱２００は、ダンボールまたは厚紙で形成されている。
【００４９】
図６および図７に示すように、梱包箱２００は、９つの板（面）、具体的に、２つの画像板１０２（図中、１０２ｄ、１０２ｅで示す）と、画像板１０２ｅに延設された側板１０４と、画像板１０２ｅの両端に連接された支持板１０６（図中、１０６ｃ、１０６ｄ、１０６ｅ、１０６ｆで示す）と、画像板１０２ｄに延設された補助板２０２ａと、側板１０４に延設された縁板２０４を含んで構成される。例えば、梱包箱２００の９つの板の厚みはそれぞれ概ね３ｍｍ〜５ｍｍである。また、画像板１０２ｄは３１．５ｃｍ×３ｃｍ、画像板１０２ｅは３１．５ｃｍ×４１ｃｍ、側板１０４は３１．５ｃｍ×３ｃｍ、縁板２０４は３１．５ｃｍ×５ｃｍ、支持板１０６ｃは、２０ｃｍ×４１ｃｍ、支持板１０６ｃの嵌合部１０８ａは２ｃｍ×９ｃｍ、支持板１０６ｆは２５ｃｍ×４１ｃｍ、支持板１０６ｆの嵌合穴１０８ｂは３ｍｍ〜５ｍｍ（ダンボールまたは厚紙（嵌合部１０８ａ）の厚み）×９ｃｍ、支持板１０６ｄ、１０６ｅは３．５ｃｍ×４１ｃｍである。
【００５０】
第１の実施形態における構成要素として既に述べた画像板１０２（１０２ｄ、１０２ｅ）、側板１０４、支持板１０６（図中、１０６ｃ、１０６ｄ、１０６ｅ、１０６ｆ）は、実質的に機能が同一なので重複説明を省略し、ここでは、構成が相違する、補助板２０２ａおよび縁板２０４を主に説明する。
【００５１】
図８は、梱包箱２００の梱包状態を説明するための説明図である。図８に示すように、画像板１０２ｄは、梱包状態で、隣接する画像板１０２ｅと略９０°を成す関係にある。また、図８（ｂ）に示すように、補助板２０２ａは、梱包状態で、隣接する画像板１０２ｄと略９０°を成す関係にある。なお、梱包箱が補助板２０２ａを複数備え、梱包状態で、複数の補助板２０２ａが折り畳まれて内包される場合には、補助板２０２ａ同士の成す角は１８０°となる。
【００５２】
また、図８に示すように梱包状態において梱包箱２００は、例えば、画像板１０２ｅを底面とした場合、支持板１０６ｃ、１０６ｆが上面となり、画像板１０２ｄ、側板１０４、支持板１０６ｄ、１０６ｅが側面となる。換言すれば、梱包状態において、梱包箱２００は、蓋として機能する支持板１０６ｃ、１０６ｆと、画像板１０２ｄ、１０２ｅと、側板１０４と、支持板１０６ｄ、１０６ｅとで箱形状の外筐を構成する。したがって、図８（ａ）に示すように、支持板１０６ｃ、１０６ｆ以外を組み立てて、内部にポスター等を収納し、図８（ｂ）に示すように、蓋として機能する支持板１０６ｃ、１０６ｆで閉じることにより、梱包箱２００にポスター等を収納した状態で運搬することができる。
【００５３】
また、図８（ｂ）に示すように、本実施形態において補助板２０２ａおよび縁板２０４は、梱包状態において、外筐に内包される。ここで縁板２０４は、梱包状態において、梱包箱２００から被梱包物が出てしまう事態、例えば、ポスター等の紙媒体等が支持板１０６ｃ、１０６ｆと側板１０４との隙間から抜け出てしまうような事態を防止するために設けられている。補助板２０２ａについては、後に詳述する。
【００５４】
図９は、梱包箱２００を図７の如く展開し、広告表示体として再構築した状態を説明するための説明図であり、図９（ａ）は、全体画像２２２を付した面を正面とした場合の正面図を、図９（ｂ）は、梱包箱２００（広告表示体）を背面から見た場合の斜視図をそれぞれ示す。
【００５５】
図９（ａ）に示すように、補助板２０２ａの少なくとも一方の面２１０には、部分画像２２０が付されている。梱包箱２００を、図８に示す梱包状態から広告状態に再構築した場合、図９（ａ）に示すように、補助板２０２ａは、画像板１０２ｄ、１０２ｅと同一平面に展開することで、補助板２０２ａの一方の面２１０に付された部分画像２２０と、画像板１０２ｄ、１０２ｅの一方の面１１０ｄ、１１０ｅに付された部分画像１２０ｄ、１２０ｅが一連の全体画像２２２を形成する。
【００５６】
梱包状態では任意の角（例えば９０°）を成していた補助板２０２ａの面２１０および画像板１０２ｄ、１０２ｅの面１１０ｄ、１１０ｅを、広告状態に再構築する際、同一平面に展開して利用することで、全体画像２２２の面積を最大限に確保することができる。
【００５７】
図９（ｂ）に示すように、支持板１０６は、嵌合部１０８ａと嵌合穴１０８ｂとを用いて、支持板１０６同士（１０６ｃと１０６ｆ）を嵌合することで、補助板２０２ａ、画像板１０２ｄ、１０２ｅを起立した状態に保持するスタンドを形成する。また、縁板２０４に２つの切り込みを形成しておき、広告状態において、側板１０４および縁板２０４を背面に折り込み、さらに縁板２０４を、側板１０４と略垂直となるように折り曲げて、縁板２０４の切り込みを切断し、切断箇所に支持板１０６ｃ、１０６ｆを嵌合させることで、より安定したスタンドを形成してもよい。
【００５８】
また、このような、外筐とならず、広告を示す機能に特化した補助板２０２ａを備える構成により、梱包材としての機能を考慮することを要さず、広告（表示）としての機能を最大限に発揮させるための、例えば、突起物を付したり、孔を開けたり等のさまざまな加工を補助板２０２ａに施すことが可能となる。
【００５９】
本実施形態において、補助板２０２ａは、さらに、画像板１０２の延設方向（図９における縦方向）の切り込み２１２を有している。図８に示す梱包状態において補助板２０２ａは、切り込み２１２でまだ切断されておらず、梱包状態から図９（ｂ）に示す広告表示体を形成する際にはじめて、補助板２０２ａを切り込み２１２で切断する。
【００６０】
そして、図９（ｂ）に示すように、広告状態において、補助板２０２ａと画像板１０２ｄとの接合部分に形成された折り目２３０ａと、画像板１０２ｄと画像板１０２ｅとの接合部分に形成された折り目２３０ｂに、切り込み２１２で切断することにより形成される、補助板２０２ａの一部２４０を折畳する。この際、補助板２０２ａの一部２４０は、折り目２３０ａ以外の部分、例えば、補助板２０２ａ内に折り目２３２を形成し、補助板２０２ａの一部２４０の折り目が形成されていない部分を、折り目２３０に折畳する。ここでも、上述した第１の実施形態と同様に、部分画像１２０、２２０が付された面を正面とした場合の背面側に、補助板２０２ａの一部２４０が折り込まれている。
【００６１】
補助板２０２ａを切り込み２１２で切断することによって形成される補助板２０２ａの一部２４０を、部分画像１２０ｄ、１２０ｅが付される画像板１０２の折り目２３０に折畳する構成により、折り目２３０といった起立させようとすると自重で折れ曲がってしまう箇所を、同一の梱包箱２００における補助板２０２ａの一部２４０で容易に補強することができ、補助板２０２ａ、画像板１０２ｄ、画像板１０２ｅを確実に起立させることが可能となる。
【００６２】
また、切り込み２１２は、切り込み２１２で切断することによって形成される補助板２０２ａの一部２４０が折り目２３０に折畳できれば、どのような形状でも構わない。したがって、補助板２０２ａから切り出した形状（一部２４０以外の形状）を様々に構成することができ、例えば、部分画像２２０の外形に合わせて、切り出すことで、全体画像２２２が示す対象物（人やキャラクター、甲冑等）が恰も立体的に存在するかの如く浮き出て見え、宣伝効果の向上を見込むことが可能となる。
【００６３】
さらに、広告表示体を商品と共に展示する場合、切り込み２１２を切断することで補助板２０２ａから切り出した形状を、例えば人を模した形状とし、その商品を装着する部位に相当する広告表示体の部位に、兜、鎧、帽子、かつら、衣服、水着、サングラス、アクセサリー、襷等を装着させてもよい。
【００６４】
上述したように、補助板２０２ａは、梱包状態において、外筐に内包される（図８（ｂ）参照）。このように、梱包状態において補助板２０２ａが、梱包箱２００の外筐に内包されることで、梱包箱２００を運搬する際に部分画像２２０のみならず補助板２０２ａ自体を保護することができる。またポスター等の被梱包物を収納しない側に、補助板２０２ａの部分画像２２０を付せば、補助板２０２ａの部分画像２２０は、かかる被梱包物とも接触することがなくなり、運搬する際に発生するおそれのある部分画像２２０の損傷を低減することが可能となる。
【００６５】
また、上述した梱包箱２００は、広告状態において１つの補助板２０２ａ、と２つの画像板１０２ｄ、１０２ｅを同一平面に展開する例、すなわち３つの板を連設する構成について説明したが、本実施形態では、同一平面に展開可能な２つの板を連設できれば足り、例えば、１の補助板と１の画像板や、２つの画像板で構成することができる。
【００６６】
図１０は、本実施形態にかかる梱包箱の他の例を説明するための展開図である。図１０に示すように、梱包箱３００は、４つの板（面）、具体的に、１つの画像板１０２（図１０中、１０２ｆで示す）と、画像板１０２ｆの両端に連接された支持板１０６（図１０中、１０６ｇ、１０６ｈで示す）と、画像板１０２ｆに延設された補助板２０２ｂとを含んで構成される。ここでも補助板２０２ｂの少なくとも一方の面には部分画像が付され、さらに補助板２０２ｂには、予め切り込み３１２が形成されている。
【００６７】
梱包箱３００は、梱包状態において、画像板１０２ｆと、支持板１０６ｇ、１０６ｈが外筐を構成し、補助板２０２ｂは、梱包箱３００の内部に収納される。この場合、梱包箱３００は、ポスター等の紙状の厚みがあまりない被梱包物を収納する。
【００６８】
また、補助板２０２ｂは、画像板１０２ｆと同一平面に展開することで、補助板２０２ｂの一方の面に付された部分画像と、画像板１０２ｆの一方の面に付された部分画像が一連の全体画像を形成する。このように梱包状態では任意の角を成していた補助板２０２ｂの面および画像板１０２ｆの面を、広告状態に再構築する際、同一平面に展開して利用することで、梱包箱１００、２００同様、全体画像の面積を最大限に確保することができる。
【００６９】
以上説明したように、本実施形態にかかる梱包箱２００、３００においても、梱包箱としての機能と、広告表示体としての機能とを有し、広告表示体として機能させる場合に表示面を最大限に確保しつつ、梱包箱として機能させる場合にはポスター等を内包することが可能となる。
【００７０】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【産業上の利用可能性】
【００７１】
本発明は、ＰＯＰ広告のための広告表示体としても機能する梱包箱に利用することができる。
【符号の説明】
【００７２】
１００、２００、３００  …梱包箱
１０２  …画像板
１０６  …支持板
１０８ａ  …嵌合部
１０８ｂ  …嵌合穴
１１２、２１２、３１２  …切り込み
１２０、２２０  …部分画像
１２２、２２２  …全体画像
１３０、２３０  …折り目
２０２  …補助板
【図１】
0005744441.tif 000002
【図２】
0005744441.tif 000003
【図３】
0005744441.tif 000004
【図４】
0005744441.tif 000005
【図５】
0005744441.tif 000006
【図６】
0005744441.tif 000007
【図７】
0005744441.tif 000008
【図８】
0005744441.tif 000009
【図９】
0005744441.tif 000010
【図１０】
0005744441.tif 000011